【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
表面に刷版が装着される２倍版胴と、２倍版胴に供給されたインキをウェブに転写するブランケットを装着したブランケット胴が対接可能に配置され、２倍版胴に接して、刷版の表面にインキを供給するインキ着けローラを備えたインキ供給装置および刷版の表面に湿し水を供給する水着けローラを備えた湿し装置が配置されている２倍版胴輪転機から２倍版胴、インキ着けローラおよび水着けローラを取り外し、
２倍版胴の支持軸を軸支していたサイドフレームの軸受支持穴を１倍版胴を軸支する軸受を備えた補助フレームで塞ぎ、
軸受に支持された１倍版胴の周囲に１倍版胴に接するインキ着けローラおよび水着けローラを配置し、
インキ着けローラとインキ供給装置の既設のインキ往復ローラとの間にローラを接触させて配置するとともに、このローラを連れ回りまたは駆動手段によって回転可能に配置し、水着けローラを１倍版胴と湿し装置の既設の水往復ローラとの間で連れ回りするように配置することを特徴とする２倍版胴輪転機の１倍版胴取替方法。
【請求項２】
インキ着けローラとインキ供給装置の既設のインキ往復ローラとの間に前記２倍版胴輪転機から取り外す前のインキ着けローラの回転方向と既設のインキ往復ローラの回転方向を変更させない数本のローラを配置することを特徴とする請求項１記載の２倍版胴輪転機の１倍版胴取替方法。
【請求項３】
水着けローラと湿し装置の既設の水往復ローラとの間にローラを接触させて配置するとともに、このローラを連れ回り可能にまたは駆動手段によって回転可能に配置することを特徴とする請求項１または２に記載の２倍版胴輪転機の１倍版胴取替方法。
【請求項４】
水着けローラと湿し装置の既設の水往復ローラとの間に前記２倍版胴輪転機から取り外す前の水着けローラと既設の水往復ローラの回転方向を変更させない数本のローラを配置することを特徴とする請求項３に記載の２倍版胴輪転機の１倍版胴取替方法。
【請求項５】
表面に刷版が装着される２倍版胴と、２倍版胴に供給されたインキをウェブに転写するブランケットを装着したブランケット胴とが対接可能に配置され、前記２倍版胴に接して、刷版の表面にインキを供給するインキ着けローラを備えたインキ供給装置および刷版の表面に湿し水を供給する水着けローラを備えた湿し装置が配置された２倍版胴輪転機において、
サイドフレームに支持されていた２倍版胴と、前記インキ着けローラおよび前記水着けローラを取り外して前記２倍版胴の支持軸を軸支していたサイドフレームの軸受けの支持穴が１倍版胴を軸支する軸受を備えた補助フレームで塞がれ、１倍版胴の周囲に１倍版胴に接するインキ着けローラおよび水着けローラを配置し、インキ着けローラとインキ供給装置の既設のインキ往復ローラとの間にローラが接触して配置されるとともに、このローラが連れ回りまたは駆動手段によって回転可能に配置され、水着けローラが１倍版胴と湿し装置の既設の水往復ローラとの間で連れ回りするように配置されていることを特徴とする輪転機。
【請求項６】
インキ着けローラとインキ供給装置の既設のインキ往復ローラとの間に前記２倍版胴輪転機から取り外す前のインキ着けローラの回転方向と既設のインキ往復ローラの回転方向を変更させない数本のローラが配置されていることを特徴とする請求項５記載の輪転機。
【請求項７】
水着けローラと湿し装置の既設の水往復ローラとの間にローラを接触させて配置されるとともに、このローラが連れ回りまたは駆動手段によって回転可能に配置されていることを特徴とする請求項５または６に記載の輪転機。
【請求項８】
水着けローラと湿し装置の既設の水往復ローラとの間に前記２倍版胴輪転機から取り外す前の水着けローラと既設の水往復ローラの回転方向を変更させない数本のローラが配置されていることを特徴とする請求項７に記載の輪転機。
【請求項９】
表面に刷版が装着される２倍版胴と、２倍版胴に供給されたインキをウェブに転写するブランケットを装着したブランケット胴が対接可能に配置され、２倍版胴に接して、刷版の表面にインキを供給するインキ着けローラを備えたインキ供給装置および刷版の表面に湿し水を供給する水着けローラを備えた湿し装置が配置されている２倍版胴輪転機から２倍版胴を取り外し、
２倍版胴の支持軸を軸支していたサイドフレームの軸受支持穴を１倍版胴を軸支する軸受を備えた補助フレームで塞ぎ、
軸受に支持された１倍版胴の周囲の刷版の表面にインキ及び湿し水を供給できるように、既設のインキ供給装置および既設の湿し装置を利用しつつ改変することを特徴とする２倍版胴輪転機の１倍版胴取替方法。
【請求項１０】
表面に刷版が装着される２倍版胴と、２倍版胴に供給されたインキをウェブに転写するブランケットを装着したブランケット胴とが対接可能に配置され、前記２倍版胴に接して、刷版の表面にインキを供給するインキ着けローラを備えたインキ供給装置および刷版の表面に湿し水を供給する水着けローラを備えた湿し装置が配置された２倍版胴輪転機において、
サイドフレームに支持されていた２倍版胴を取り外して前記２倍版胴の支持軸を軸支していたサイドフレームの軸受けの支持穴が１倍版胴を軸支する軸受を備えた補助フレームで塞がれ、１倍版胴の周囲の刷版の表面にインキ及び湿し水を供給できるように、既設のインキ供給装置および既設の湿し装置を利用しつつ改変されていることを特徴とする輪転機。
【手続補正２】
【補正対象書類名】明細書
【補正対象項目名】００１５
【補正方法】変更
【補正の内容】
【００１５】
本発明による２倍版胴輪転機の１倍版胴取替方法は、表面に刷版が装着される２倍版胴と、２倍版胴に供給されたインキをウェブに転写するブランケットを装着したブランケット胴が対接可能に配置され、２倍版胴に接して、刷版の表面にインキを供給するインキ着けローラを備えたインキ供給装置および刷版の表面に湿し水を供給する水着けローラを備えた湿し装置が配置されている２倍版胴輪転機から２倍版胴、インキ着けローラおよび水着けローラを取り外し、２倍版胴の支持軸を軸支していたサイドフレームの軸受支持穴を１倍版胴を軸支する軸受を備えた補助フレームで塞ぎ、軸受に支持された１倍版胴の周囲に１倍版胴に接するインキ着けローラおよび水着けローラを配置し、インキ着けローラとインキ供給装置の既設のインキ往復ローラとの間にローラを接触させて配置するとともに、このローラを連れ回りまたは駆動手段によって回転可能に配置し、水着けローラを１倍版胴と湿し装置の既設の水往復ローラとの間で連れ回りするように配置することを特徴とする。また、本発明による２倍版胴輪転機の１倍版胴取替方法は、表面に刷版が装着される２倍版胴と、２倍版胴に供給されたインキをウェブに転写するブランケットを装着したブランケット胴が対接可能に配置され、２倍版胴に接して、刷版の表面にインキを供給するインキ着けローラを備えたインキ供給装置および刷版の表面に湿し水を供給する水着けローラを備えた湿し装置が配置されている２倍版胴輪転機から２倍版胴を取り外し、２倍版胴の支持軸を軸支していたサイドフレームの軸受支持穴を１倍版胴を軸支する軸受を備えた補助フレームで塞ぎ、軸受に支持された１倍版胴の周囲の刷版の表面にインキ及び湿し水を供給できるように、既設のインキ供給装置および既設の湿し装置を利用しつつ改変することを特徴とする。
【手続補正３】
【補正対象書類名】明細書
【補正対象項目名】００１６
【補正方法】変更
【補正の内容】
【００１６】
本発明の輪転機は、表面に刷版が装着される２倍版胴と、２倍版胴に供給されたインキをウェブに転写するブランケットを装着したブランケット胴とが対接可能に配置され、前記２倍版胴に接して、刷版の表面にインキを供給するインキ着けローラを備えたインキ供給装置および刷版の表面に湿し水を供給する水着けローラを備えた湿し装置が配置された２倍版胴輪転機において、サイドフレームに支持されていた２倍版胴と、前記インキ着けローラおよび前記水着けローラを取り外して前記２倍版胴の支持軸を軸支していたサイドフレームの軸受けの支持穴が１倍版胴を軸支する軸受を備えた補助フレームで塞がれ、１倍版胴の周囲に１倍版胴に接するインキ着けローラおよび水着けローラを配置し、インキ着けローラとインキ供給装置の既設のインキ往復ローラとの間にローラが接触して配置されるとともに、このローラが連れ回りまたは駆動手段によって回転可能に配置され、水着けローラが１倍版胴と湿し装置の既設の水往復ローラとの間で連れ回りするように配置されていることを特徴とする。また、本発明の輪転機は、表面に刷版が装着される２倍版胴と、２倍版胴に供給されたインキをウェブに転写するブランケットを装着したブランケット胴とが対接可能に配置され、前記２倍版胴に接して、刷版の表面にインキを供給するインキ着けローラを備えたインキ供給装置および刷版の表面に湿し水を供給する水着けローラを備えた湿し装置が配置された２倍版胴輪転機において、サイドフレームに支持されていた２倍版胴を取り外して前記２倍版胴の支持軸を軸支していたサイドフレームの軸受けの支持穴が１倍版胴を軸支する軸受を備えた補助フレームで塞がれ、１倍版胴の周囲の刷版の表面にインキ及び湿し水を供給できるように、既設のインキ供給装置および既設の湿し装置を利用しつつ改変されていることを特徴とする。